(57)【要約】【課題】      従来の手袋型浴用タオルは石鹸を掴み易くし、赤ちゃんや介護用として使用する目的が主である。面ファスナーで手袋を連結して背中洗いに使用する方法もあるが、連結に使用する面ファスナーは横への引っ張り強度に弱い欠点がある。【解決手段】  本考案の手袋型浴用タオルは手の平側に木綿や麻等の天然繊維になる柔らかい布地を使用し、手の甲側に粗い合成繊維の布地を使用して身体の洗う箇所により使い分けできる。長めの手袋の手の甲側の端にホックを装着して連結可能とすることで通常の浴用タオルとして背中を洗うことができる。また、手の甲側に刺繍をしたり、マスコットを手の指に装着して幼児が遊ぶこともできる。【選択図】図３
0003129113.tif 000002
【実用新案登録請求の範囲】
【請求項１】
手の平側が木綿や麻等の天然繊維になる柔らかい布地であり、手の甲側が粗い合成繊維の布地で形成された長めの手袋型にした浴用タオルであって、手の甲側の手袋の端にホックを装着して一対の手袋を連結可能とし、背中洗いに使用できることを特徴とする手袋型浴用タオル。
【請求項２】
手袋の指に嵌める輪をマスコットに装着して、指人形のように幼児が浴室で遊べることを特徴とする請求項１に記載の手袋型浴用タオル。
【考案の詳細な説明】
【技術分野】
【０００１】  本考案は、浴用タオルを手袋型にしたものであり、入浴時に手袋を両手に嵌めて身体を迅速に隅々まで両手で効率よく洗うことができ、手袋を連結させて背中洗いをできるようにしたものである。
【背景技術】
【０００２】  通常使用されている身体を洗うための浴用タオルは長方形の布地になっていて、布地を折り畳んで石鹸を付け、身体を擦る。背中を洗う時は、布地を広げた状態で使用したり、布地を伸ばした状態で丸めて捻って身体を擦っている。
布地に替わるものとして手袋型の浴用タオルも考慮され、赤ちゃんを入浴させる時や介護用途として手袋型の浴用タオルが石鹸を掴みやすく身体を洗いやすい特徴が取り上げられている。また、手袋に浴用タオルを連結して、手袋を手に嵌めて浴用タオルを背中洗いに使用する方法や面ファスナーを利用して手袋型浴用タオルを連結して使用する方法も考案されている。
【考案の開示】
【考案が解決しようとする課題】
【０００３】  従来の手袋型浴用タオルは面ファスナーで手袋を手に固定する方法であり、石鹸を掴み易くするために、手袋の手の平部分にポケットを備えることを主体としている。主に赤ちゃんや介護用として使用する目的であるので、他人の身体を主眼として考案されている。
手袋の下に長尺の浴用タオルを連結する方法は、浴用タオルで背中を洗う便利さはあるが、両手を別々に動かすときや洗う箇所によって浴用タオルが邪魔になることがあり、手袋型浴用タオルの利点を生かすことができない。
手袋型浴用タオルを面ファスナーで連結する方法は、背中に手の回らない人に便利であるが、面ファスナーは横への引っ張り強度に弱く外れやすい欠点があり、更に、水濡れと石鹸により接着強度が弱まる。面ファスナーの凸面は硬質プラスチック製のため硬く、皮膚を傷つける恐れもある。面ファスナーの替わりに接着テープを使用する例もあるが、接着テープは水濡れで接着力が弱まるため適当でない。
【課題を解決するための手段】
【０００４】  本考案の長めの手袋にした浴用タオルは、表裏両側を効果的に使用できるように片面に木綿や麻等の天然繊維になる柔らかい布地を使用し、反対面に垢すりやマッサージに適するように粗い合成繊維の布地を使用して身体の洗う箇所により使い分けできるようにしている。また、左右の手袋を連結して長尺の手袋として背中を洗う用途に使用することができる。手袋を連結するために、一対の手袋の手の甲側の端にプラスチックホックを装着している。手の甲側のプラスチックホック同士を連結するには、一方の手袋の手の甲側を上向きにし、他方の手袋の手の甲側を下向きにして端のホックを連結する。一対の手袋にはホックの凹凸が嵌合する状態で装着されているので、ホックの嵌合は簡単であり、手の平側の柔らかい布地と手の甲側の粗い布地の両方を使用することができる。
ホックは水濡れに影響されず、横への引っ張り強度に強く、左右の手袋を連結するとホックは裏側に隠れるので肌に触れることがなく安全である。
手袋の中央部分に厚みを付けたり、スポンジを手袋内に包含するようにすると、石鹸の泡立ちを良くすることができる。
手袋の甲の部分に刺繍をしたり、手袋の指にマスコットに装着した輪を嵌めて遊べるようにすると、幼児に入浴に対する恐怖心を抱かせず、入浴と遊びを一緒にして興味を持たせ、自分のことは自分でやればできるという自立心を養うことになる。風呂嫌いであった幼児にも、入浴中に手袋の刺繍や、指に嵌めたマスコットで物語を作ると入浴中にお話や遊びができ、入浴を楽しむようになる。
【考案の効果】
【０００５】  本考案の効果は下記の通りである。
［イ］両手に嵌めた浴用タオルで両手で身体を洗うことができるので、身体を洗う時間が短縮され、身体の隅々まで洗える。
［ロ］左右の手袋を連結して浴用タオルと同程度の長さにして背中洗いに使用することができる。
［ハ］手の平で石鹸を泡立てるのと同じ要領で石鹸を使用するので、使用量に無駄がなくなり、泡立ちも良くなる。
［ニ］幼児も遊び感覚で身体を洗えるので、入浴が楽しくなる。
［ホ］手で背中に回して洗うようになり、腕のリハビリに役立つ。
［ヘ］手袋が柔らかい布地の面を粗い垢すりに適した布地の面で形成されているので、洗う箇所により使い分けできる。
【考案を実施するための最良の形態】
【０００６】  以下、本考案の実施の形態について説明する。
【実施例１】  図１は本考案の手袋型浴用タオルの正面図である。手袋型浴用タオル（１）は右手用と左手用の対で成り立ち、手の平側（２）を示している。手袋は通常の浴用タオルを半分に折った長さがあり、腕の部分まで覆うことができる。それは左右の手袋を連結して背中を洗うのに便利であり、手の平側と手の甲側に異なった素材を使用することもできる。【０００７】  図２は本考案になる手袋型浴用タオルの手の甲側（３）を示している。手の甲側（３）には粗い垢すりに適した布地を使用している。手の甲側（３）には凸ホック（４）と凹ホック（５）が装着されている。左手に嵌めていた手袋型浴用タオル（１）を右手に嵌めると手の甲側（３）を手の平側（２）として使用できる。【０００８】  図３では一方の手袋型浴用タオル（１）の手の甲側（３）に装着した凸ホック（４）と凹ホック（５）に対し、他方の手袋型浴用タオルの凸ホック（４）と凹ホック（５）に向かい合うようにするために、片一方の手袋型浴用タオル（１）の手の平側（２）が上向きになり、手の甲側（３）が下向きになっている。【０００９】  図４は図３に示す一対の手袋型浴用タオル（１）を連結した状態を示している。ホック（４）、（５）を連結することで、背中洗いようの浴用タオルを形成することができる。
【実施例２】
【００１０】    図５は手袋型浴用タオル（１）の手の甲側（３）にマスコット（６）を装着した状態を示す。動物、植物、鳥、魚、人形等のマスコット（６）や刺繍を手袋型浴用タオル付けて子供や幼児が入浴する際に使用させると、遊びながら入浴するので、自分で身体を洗うことも苦にならなくなり、清潔に身体を保つと共に、自立心も芽生える。マスコット（６）を付け替えながら使用して物語を作ることもできる。マスコット（６）に輪（７）を装着して指に嵌めてマスコット（６）を交換しながら遊んだり、マスコット（６）にホックを装着して手袋のホックに固定することもできる。
【産業上の利用可能性】
【００１１】  入浴時に身体を洗う浴用タオルとして使用される。入浴中の遊びにも使用でき、幼児教育にも役立つ。
【図面の簡単な説明】
【００１２】
【図１】本考案になる手袋型浴用タオルの手の平側を示す平面図である。
【図２】本考案になる手袋型浴用タオルの手の甲側を示す平面図である。
【図３】手袋型浴用タオルホックを嵌めるための状態を示す説明図である。
【図４】一対の手袋型浴用タオルを連結した状態を示す斜視図である。
【図５】マスコットを装着した手袋型浴用タオルの説明図である。
【符号の説明】
【００１３】    １  手袋型浴用タオル
２  手の平側
３  手の甲側
４  凸ホック
５  凹ホック
６  マスコット
７  輪
【図１】
0003129113.tif 000003
【図２】
0003129113.tif 000004
【図３】
0003129113.tif 000005
【図４】
0003129113.tif 000006
【図５】
0003129113.tif 000007